(57)【要約】【課題】  碍子の降雨による雨洗効果を損なうことなく、鳥の糞によって発生する停電事故及び碍子の破損事故を有効に防止することができる糞害防止用遮蔽板を提供する。【解決手段】  碍子２０の鉛直方向上部に着脱自在に取り付けられる糞害防止用遮蔽板１０であって、碍子２０の外径より大きい外径を有する円盤状の遮蔽板本体３０と、遮蔽板本体３０を貫通して設けられて雨水を流通させる少なくとも１つの雨水供給路３１とを具備する。【選択図】      図１
2005216503.tif 000002
【特許請求の範囲】
【請求項１】
碍子の鉛直方向上部に着脱自在に取り付けられる糞害防止用遮蔽板であって、前記碍子の外径より大きい外径を有する円盤状の遮蔽板本体と、当該遮蔽板本体を貫通して設けられて雨水を流通させる少なくとも１つの雨水供給路とを具備することを特徴とする糞害防止用遮蔽板。
【請求項２】
請求項１において、前記雨水供流路は、前記碍子の上部に雨水を供給する位置に周方向に亘って間欠的に複数設けられていることを特徴とする糞害防止用遮蔽板。
【請求項３】
請求項１又は２において、前記遮蔽板本体の大きさは、前記碍子の直径の１．５倍〜２．５倍であることを特徴とする糞害防止用遮蔽板。
【請求項４】
請求項１〜３の何れかにおいて、前記遮蔽板本体の上面の少なくとも周縁部が周縁部ほど鉛直方向下方に向かって傾斜していることを特徴とする糞害防止用遮蔽板。
【請求項５】
請求項１〜４の何れかにおいて、前記遮蔽板本体は、少なくとも２分割される構造で前記碍子に対して着脱自在であることを特徴とする糞害防止用遮蔽板。
【発明の詳細な説明】
【技術分野】
【０００１】
本発明は、例えば、懸垂碍子、長幹碍子、ＬＰ（Ｌｉｎｅ  Ｐｏｓｔ）碍子、及びＳＰ（Ｓｔａｔｉｏｎ  Ｐｏｓｔ）碍子等の碍子に鳥の糞が付着するのを防止する糞害防止用遮蔽板に関する。
【背景技術】
【０００２】
例えば、送電線鉄塔には、複数の碍子が配置されおり、これら碍子の周囲には、送電線や鉄骨等の鳥の飛来場所が数多く存在している。また、鳥は、外敵から身を守るため、送電線鉄塔等の比較的高い場所に飛来し、繁殖期には営巣場所とする習性がある。このため、鳥が銜えてくる針金等の巣材が送電線に接触することで、送電線のショート事故、すなわち、停電事故が発生してしまうという問題がある。そして、このような停電事故は、多大な経済損失を招いてしまう。
【０００３】
そこで、このような停電事故の対策としては、鉄塔から吊り下げられた碍子に、碍子の外径よりも大きい外径を有する絶縁遮断板を取り付けた鳥害防止装置が提案されている（例えば、特許文献１参照）。これにより、鳥が銜えてくる針金が送電線に接触することで発生する停電事故を防止することはできる。
【０００４】
しかしながら、近年、停電事故は、鳥が銜えてきた針金等の巣材が送電線に接触することの他に、鳥の液状の糞尿（以下、糞と略す。）が碍子に付着し、碍子の縁面がアーク放電することで発生することが明らかとなった。また、碍子の縁面が放電して、碍子が破損するといった事故も発生することが明らかとなった。
【０００５】
このような鳥の糞害を防止するために、碍子が固定された鉄骨部分等に剣山を設け、鳥が碍子の周囲に飛来できないようにする対策も考えられるが、人が送電線鉄塔の上部に登って作業する際に邪魔になるという問題がある。また、鳥が上空から落下させる糞に対しては効果がない。
【０００６】
なお、碍子は降雨によって雨洗する必要があるため、鳥の糞の付着を防止するための笠を安易に上部に取り付けることはできないという問題がある。
【０００７】
【特許文献１】特開平５−１２９４３号公報（特許請求の範囲、第３図）
【発明の開示】
【発明が解決しようとする課題】
【０００８】
本発明は、このような事情に鑑み、碍子の降雨による雨洗効果を損なうことなく、鳥の糞によって発生する停電事故及び碍子の破損事故を有効に防止することができる糞害防止用遮蔽板を提供することを課題とする。
【課題を解決するための手段】
【０００９】
上記課題を解決する本発明の第１の態様は、碍子の鉛直方向上部に着脱自在に取り付けられる糞害防止用遮蔽板であって、前記碍子の外径より大きい外径を有する円盤状の遮蔽板本体と、当該遮蔽板本体を貫通して設けられて雨水を流通させる少なくとも１つの雨水供給路とを具備することを特徴とする糞害防止用遮蔽板にある。
【００１０】
かかる第１の態様では、既設の碍子の上部へ取り付けるだけで、遮蔽板本体によって鳥の糞が碍子に付着することが防止され、停電事故及び碍子の破損事故を有効に防止することができ、雨水が雨水供給路を通って碍子側に流れるので碍子の雨洗効果を確保することができる。
【００１１】
本発明の第２の態様は、第１の態様において、前記雨水供流路は、前記碍子の上部に雨水を供給する位置に周方向に亘って間欠的に複数設けられていることを特徴とする糞害防止用遮蔽板にある。
【００１２】
かかる第２の態様では、碍子全体に効率よく雨水を供給でき、碍子の雨洗効果を高めることができる。
【００１３】
本発明の第３の態様は、第１又は２の態様において、前記遮蔽板本体の大きさは、前記碍子の直径の１．５倍〜２．５倍であることを特徴とする糞害防止用遮蔽板にある。
【００１４】
かかる第３の態様では、碍子への糞の付着を防止でき且つ鳥の営巣を困難にすることができる。
【００１５】
本発明の第４の態様は、第１〜３の何れかの態様において、前記遮蔽板本体の上面の少なくとも周縁部が周縁部ほど鉛直方向下方に向かって傾斜していることを特徴とする糞害防止用遮蔽板にある。
【００１６】
かかる第４の態様では、遮蔽板本体の上部に鳥が飛来又は営巣するのを効果的に防止することができる。
【００１７】
本発明の第５の態様は、第１〜４の何れかの態様において、前記遮蔽板本体は、少なくとも２分割される構造で前記碍子に対して着脱自在であることを特徴とする糞害防止用遮蔽板にある。
【００１８】
かかる第５の態様では、既設の碍子を取り外さなくても、容易に取り付けることができる。
【発明の効果】
【００１９】
本発明の糞害防止用遮蔽板は、鉛直方向に沿って設置された碍子の上部に取り付けるだけで、降雨による碍子の雨洗効果を損なうことなく、碍子に糞が付着して発生する停電事故及び碍子の破損事故を有効に防止できるという効果を奏する。
【発明を実施するための最良の形態】
【００２０】
以下に本発明を実施するための最良の形態に基づいて詳細に説明する。
【００２１】
図１は、本発明の一実施形態に係る糞害防止用遮蔽板の概略図であって、図１（ａ）が上面図であり、図１（ｂ）がＡ−Ａ′断面図である。図１に示すように、本実施形態の糞害防止用遮蔽板１０は、碍子２０の鉛直方向上部に設けられる遮蔽板本体３０を具備する。
【００２２】
なお、碍子２０は、例えば、本実施形態では、屋外変電所等で使用されるＳＰ碍子であり、図示しないが、送電線又は母線を支持するものであり、鉛直方向に沿って設けられるものである。
【００２３】
ここで、遮蔽板本体３０は、碍子２０と当該碍子２０を固定している鉄構ビーム４０との間で着脱自在に装着できる構造を有する。この遮蔽板本体３０は、例えば、本実施形態では、碍子２０と鉄構ビーム４０との間に挟持され、ボルト５０を介して装着されている。また、遮蔽板本体３０は、略円盤形状であり、碍子２０の外径より大きい外径、好ましくは、碍子２０の直径の１．５倍〜２．５倍の外径であるのがよく、例えば、本実施形態では、碍子２０の外径の２倍の外径とした。遮蔽板本体３０の周縁部は、半径方向外側ほど下方に向かって傾斜した形状となっている。これは、遮蔽板本体３０上に落下した糞を下方に滑り落とすためと、鳥が飛来又は営巣するのを防止するためである。なお、このような遮蔽板本体３０は、例えば、絶縁性を有する材質であるのが好ましく、絶縁性ポリマーで成形するのがよい。絶縁性ポリマーとしては、例えば、絶縁性のゴム、絶縁性エラストマーあるいは絶縁性プラスチック、さらには、プラスチックや他の素材の表面に絶縁性ゴム、エラストマーあるいはプラスチックを被せたもの等を挙げることができる。
【００２４】
また、遮蔽板本体３０は、碍子２０側に雨水を供給できるように、厚さ方向に貫通する貫通孔である雨水供給路３１を具備する。この雨水供給路３１は、碍子２０の外縁部より内側の位置に周方向に亘って所定間隔で複数個設けてあり、本実施形態では、６個設けられている。これにより、雨水は、雨水供給路３１を通って碍子２０の上部に流れ落ち、碍子２０の雨洗効果を得ることができる。
【００２５】
このような雨水供給路３１は、少なくとも１つ設ければ碍子２０の雨洗効果を得ることはできるが、複数設けるのが好ましく、これにより雨洗効果をさらに高めることができる。また、このような雨水供給路３１の内径は、例えば、２０ｍｍ以下とするのが好ましく、例えば、本実施形態では、８ｍｍとした。また、勿論、内径８ｍｍ程度の孔を一周１６個で、２列設けるようにしてもよい。なお、雨水供給路３１は、最低限雨水が通過する程度の内径を有する必要があることはいうまでもない。このように、雨水供給路３１の内径を所定の範囲内とすることで、鳥の糞が雨水供給路３１を通過して碍子２０に付着することはなく、雨水だけを碍子２０側へ供給することができ、碍子２０の雨洗効果を得ることができる。なお、雨水供給路３１の形状や位置、大きさなどは限定されるものではない。
【００２６】
このように、本実施形態では、碍子２０の鉛直方向上部に遮蔽板本体３０を設けることにより、落下してくる鳥の糞を遮蔽板本体３０によって受け止め、碍子２０に鳥の糞が付着するのを防止することができ、碍子２０に付着した鳥の糞が原因で発生する停電事故及び碍子の破損事故を有効に防止することができる。
【００２７】
また、碍子２０は、本来、降雨による雨洗効果、すなわち、雨水によって外周面が洗浄されるようになっており、碍子２０を単に笠部材で覆う構造とすると、このような雨洗効果が得られなくなってしまうが、本発明の糞害防止用遮蔽板は、雨水供給路が設けられているので、雨洗効果を損なうことがない。
【００２８】
以上説明したように、本実施形態の糞害防止用遮蔽板１０は、鉛直方向に設けられた碍子２０の上方に遮蔽板本体３０を着脱自在に設け、且つその遮蔽板本体３０に雨水供給路３１を設けて碍子２０側に雨水を供給できるようにしたので、碍子２０の降雨による雨洗効果を損なうことなく、碍子２０に鳥の糞が付着するのを防止して、停電事故及び碍子２０の破損事故を有効に防止することができる。
【００２９】
（他の実施形態）
以上、本発明の一実施形態について説明したが、勿論、本発明は上述の一実施形態に限定されるものではない。
【００３０】
例えば、上述した一実施形態では、碍子２０としてＳＰ碍子に糞害防止用遮蔽板１０を適用して説明したが、これに限定されず、例えば、図２に示すように、長幹碍子２０Ａに対して、糞害防止用遮蔽板１０Ａを設けるようにしてもよい。なお、図２は、本発明の他の実施形態に係る糞害防止用遮蔽板の概略図であって、図２（ａ）が上面図であり、図２（ｂ）がＢ−Ｂ′断面図である。具体的には、本実施形態の糞害防止用遮蔽板１０Ａは、長幹碍子２０Ａの上端部と鉄構ビーム４０Ａとの間にボルト５０Ａを介して着脱自在に固定される遮蔽板本体３０Ａを具備し、遮蔽板本体３０Ａには、雨水供給路３１Ａが鉄構ビーム４０Ａの両側のそれぞれに５個ずつ設けられている。
【００３１】
本発明の糞害防止用遮蔽板は、勿論、従来公知の碍子、例えば、懸垂碍子、ＬＰ碍子等に適用でき、各碍子に好適な構造とすることができる。
【００３２】
よって、取付構造も上述した構造に限定されず、例えば、遮蔽板本体を２分割構造として既設の碍子の上部に取付け易い構造としてもよく、その構造は限定されない。
【００３３】
何れにしても、現在設置されている碍子を取り外したり、あるいは設計変更したりすることなく、装着できる構造で、雨洗効果を損なうことなく糞害を防止できる構造であればよい。
【００３４】
例えば、上述した実施形態では、遮蔽板本体に設ける雨水供給路を貫通孔としたが、これに限定されず、スリット状としてもよく、又は取付部と遮蔽板本体との間に隙間を設けるようにして雨水供給路としてもよい。
【００３５】
また、遮蔽板本体を碍子から所定の間隔を置いた上方に取り付ける構造とすることにより、鉛直方向上方から落下する糞の碍子への付着を防止でき且つ雨水供給路からの雨水だけでなく、斜め方向からの雨水により碍子が洗浄され、さらに雨洗効果を高めることができる。なお、このように遮蔽板本体を碍子と間隔を置いて設ける構造とした場合には、碍子の雨洗効果が得られるため、必ずしも遮蔽板本体に雨水供給路を設けなくてもよい。
【００３６】
さらに、上述した一実施形態では、絶縁性を有し且つある程度剛性を有する材料からなる遮蔽板本体を例示して説明したが、これに限定されず、弾性変形可能な材料で遮蔽板本体を形成するようにしてもよい。すなわち、落下する糞が碍子に付着するのを防止することができるが、鳥が飛来した場合には変形する程度の弾性を有していればよい。これにより、飛来する鳥による営巣等を有効に防止することができる。
【産業上の利用可能性】
【００３７】
本発明に係る糞害防止用遮蔽板は、例えば、屋外変電所等に多く見られる地面に対して鉛直方向に沿って設けられた碍子だけでなく、送電線鉄塔等の比較的高い所に設置された碍子に対しても適用でき、その他、発電所や電信柱等に設置された碍子にも適用できる。
【図面の簡単な説明】
【００３８】
【図１】本発明の一実施形態に係る糞害防止用遮蔽板の概略図であって、図１（ａ）が上面図であり、図１（ｂ）がＡ−Ａ′断面図である。
【図２】本発明の他の実施形態に係る糞害防止用遮蔽板の概略図であって、図２（ａ）が上面図であり、図２（ｂ）がＢ−Ｂ′断面図である。
【符号の説明】
【００３９】
１０、１０Ａ  糞害防止用遮蔽板
２０、２０Ａ  碍子
３０、３０Ａ  遮蔽板本体
３１、３１Ａ  雨水供給路
４０、４０Ａ  鉄構ビーム
５０、５０Ａ  ボルト
【図１】
2005216503.tif 000003
【図２】
2005216503.tif 000004